(57)【要約】【課題】  操作性を向上させること。【解決手段】  ステアリングホイール支軸の軸線と前後方向に直交する仮想左右中心線の一側方に、燃料計と作業系操作手段を集中配置する一方、仮想左右中心線の他側方に、操向系操作手段を集中配置した。このようにして、ステアリングホイール支軸の軸線と前後方向に直交する仮想左右中心線の一側方に、燃料計と作業系操作手段を集中配置しているため、運転部に着座して操向操作を行うオペレータは、一方の手でステアリングホイール支軸に取り付けたステアリングホイールを把持した状態にて、他方の手で作業系操作手段を操作することができる。【選択図】        図１
2005029126.tif 000002
【特許請求の範囲】
【請求項１】
運転部に設けたダッシュボードの上面部に、ステアリングホイール支軸と計器パネルと操作手段を設けたトラクタにおいて、
ステアリングホイール支軸の軸線と前後方向に直交する仮想左右中心線の一側方に、燃料計と作業系操作手段を集中配置する一方、仮想左右中心線の他側方に、操向系操作手段を集中配置したことを特徴とするトラクタ。
【請求項２】
作業系操作手段として、アクセルレバーとＰＴＯスイッチを仮想左右中心線の一側方に集中配置したことを特徴とする請求項１記載のトラクタ。
【請求項３】
操向系操作手段として、方向指示器操作スイッチとヘッドライト操作スイッチと警報器操作スイッチを仮想左右中心線の他側方に集中配置したことを特徴とする請求項１又は２記載のトラクタ。
【発明の詳細な説明】
【技術分野】
【０００１】
本発明は、トラクタに関する。
【背景技術】
【０００２】
従来、トラクタの一形態として、運転部に設けたダッシュボードの上面部に、ステアリングホイール支軸と計器パネルと操作手段を設けたものがある（例えば、特許文献１参照）。
【０００３】
そして、計器パネルとしては、燃料計やエンジン回転計等を配置しており、また、操作手段としては、方向指示器操作スイッチやヘッドライト操作スイッチや警報器操作スイッチ等を配置している。
【特許文献１】実開昭５５−７５５２６号公報
【発明の開示】
【発明が解決しようとする課題】
【０００４】
ところが、上記したトラクタでは、ステアリングホイール支軸を中心として、同ステアリングホイール支軸の近傍に、燃料計、エンジン回転計、方向指示器操作スイッチ、ヘッドライト操作スイッチ、警報器操作スイッチ等が配置されているものの、運転部に着座したオペレータが各種スイッチを操作する際には、一方の手でステアリングホイールを把持した状態にて、他方の手で所要のスイッチを操作しなければならず、この際、所要のスイッチを右手で操作したり、左手で操作したりする必要性があるが、各種スイッチの配設位置が操作頻度等を考慮して設定されていないために、操作性に難点がある。
【課題を解決するための手段】
【０００５】
そこで、本発明では、運転部に設けたダッシュボードの上面部に、ステアリングホイール支軸と計器パネルと操作手段を設けたトラクタにおいて、ステアリングホイール支軸の軸線と前後方向に直交する仮想左右中心線の一側方に、燃料計と作業系操作手段を集中配置する一方、仮想左右中心線の他側方に、操向系操作手段を集中配置したことを特徴とするトラクタを提供するものである。
【０００６】
また、本発明は、以下の構成にも特徴を有する。
【０００７】
（１）作業系操作手段として、アクセルレバーとＰＴＯスイッチを仮想左右中心線の一側方に集中配置したこと。
【０００８】
（２）操向系操作手段として、方向指示器操作スイッチとヘッドライト操作スイッチと警報器操作スイッチを仮想左右中心線の他側方に集中配置したこと。
【発明の効果】
【０００９】
（１）請求項１記載の本発明では、運転部に設けたダッシュボードの上面部に、ステアリングホイール支軸と計器パネルと操作手段を設けたトラクタにおいて、ステアリングホイール支軸の軸線と前後方向に直交する仮想左右中心線の一側方に、燃料計と作業系操作手段を集中配置する一方、仮想左右中心線の他側方に、操向系操作手段を集中配置している。
【００１０】
このようにして、ステアリングホイール支軸の軸線と前後方向に直交する仮想左右中心線の一側方に、燃料計と作業系操作手段を集中配置しているため、運転部に着座して操向操作を行うオペレータは、一方の手でステアリングホイール支軸に取り付けたステアリングホイールを把持した状態にて、他方の手で作業系操作手段を操作することができる。
【００１１】
この際、燃料計と作業系操作手段を集中配置しているため、作業系操作手段を適宜効率良く操作することができて、操作性を向上させることができると共に、かかる作業系操作手段を操作している際に、燃料計も視野に入れて楽に視認することができる。
【００１２】
特に、比較的操作頻度の高い作業系操作手段をオペレータの利き手側に集中配置しておくことにより、操作性をより一層向上させることができる。
【００１３】
また、仮想左右中心線の他側方に、操向系操作手段を集中配置しているため、運転部に着座して操向操作を行うオペレータは、一方の手でステアリングホイール支軸に取り付けたステアリングホイールを把持した状態にて、他方の手で操向系操作手段を操作することができる。
【００１４】
この際、比較的操作頻度の低い操向系操作手段を集中配置しているため、操向系操作手段を効率良く適宜操作することができて、操作性を向上させることができる。
【００１５】
（２）請求項２記載の本発明では、作業系操作手段として、アクセルレバーとＰＴＯスイッチを仮想左右中心線の一側方に集中配置している。
【００１６】
このようにして、比較的操作頻度の高いアクセルレバーとＰＴＯスイッチを仮想左右中心線の一側方に集中配置しているため、これらの作業系操作手段を利き手により適宜効率よく操作することができて、操作性を向上させることができる。
【００１７】
（３）請求項３記載の本発明では、操向系操作手段として、方向指示器操作スイッチとヘッドライト操作スイッチと警報器操作スイッチを仮想左右中心線の他側方に集中配置している。
【００１８】
このようにして、比較的操作頻度の低い方向指示器操作スイッチとヘッドライト操作スイッチと警報器操作スイッチを仮想左右中心線の他側方に集中配置しているため、これらの操向系操作手段を利き手とは反対側の手で適宜操作することができて、操作性を向上させることができる。
【発明を実施するための最良の形態】
【００１９】
図１に示すＡは、本発明に係るトラクタであり、同トラクタＡは、機体フレーム１上に原動機部２を設け、同原動機部２に配設したエンジンＥにクラッチ部３を介して前後方向に伸延するミッション部４を連動連設し、同ミッション部4上に運転部５を配設しており、機体フレーム１にはフロントアクスルケース６を介して左右一対の前車輪7,7を取り付け、同フロントアクスルケース６とミッション部４との間には伝動シャフト８を介設する一方、ミッション部４の後部にはリヤアクスルケース９を介して左右一対の後車輪10,10を連動連結している。11は、ミッション部４の後部に取り付けた昇降連結機構、12は、運転部５の後方位置に立設した安全フレームである。
【００２０】
このようにして、エンジンＥから動力をクラッチ部３→ミッション部４→伝動シャフト８→フロントアクスルケース６→前車輪7,7に伝達すると共に、ミッション部４→リヤアクスルケース９→後車輪10,10に伝達して、四輪駆動走行を行うことも、また、後車輪10,10にのみ動力を伝達して、二輪駆動走行を行うこともできるようにしている。
【００２１】
機体フレーム１は、図２〜図７に示すように、前後方向に伸延する左右一対の左・右側フレーム形成片20,20と、両左・右側フレーム形成片20,20の前端部間に架設した前部フレーム形成片21とから形成している。
【００２２】
原動機部２は、図２〜図７に示すように、左・右側フレーム形成片20,20の後部間に前記エンジンＥを搭載し、同エンジンＥの直前方位置にラジエータ22を配置し、同ラジエータ22の直前方位置にバッテリ23を配置する一方、エンジンＥの直後方位置に燃料タンク24を配置して、これらを図１に示す開閉自在のボンネット25により被覆している。26はマフラー、27はエアクリーナである。
【００２３】
また、図２〜図７に示すように、左・右側フレーム形成片20,20の前部間には支持体30を設け、同支持体30上に上記したラジエータ22とバッテリ23を集中配置すると共に、これらを支持体30を介して一体的に取り付けている。
【００２４】
このようにして、機体フレーム１上に設けた支持体30上にラジエータ22とバッテリ23を集中配置すると共に、これらを支持体30を介して一体的に取り付けているため、部品点数を削減することができると共に、ラジエータ22とバッテリ23の取付作業の手間を削減することができる。
【００２５】
しかも、ラジエータ22とバッテリ23を支持体30上に集中配置しているため、原動機部２のコンパクト化、さらには、機体のコンパクト化を図ることができる。
【００２６】
すなわち、支持体30は、図３〜図７に示すように、略四角形板状に形成してラジエータ22とバッテリ23を支持する支持本片31と、同支持本片31の左右側後部位置より上方へ立ち上げて形成してラジエータ22の左右側縁部を固定する左右一対の固定用支柱片32,32と、両固定用支柱片32,32の下部間に上記支持本片31の後端縁部より上方へ立ち上げて形成してラジエータ22の下端縁部と支持本片31との間の隙間を密閉する密閉片33とを具備している。
【００２７】
そして、支持本片31の中央部には、左右方向に伸延する凸条の係止片34を形成して、同係止片34中に左右方向に伸延する支軸35を挿通し、同支軸35の左右側端部に上下方向に伸延する左右一対の連結アーム片36,36の基端部を連設し、両連結アーム片36,36の先端部間に左右方向に伸延するバッテリ係合片37を介設している。
【００２８】
ここで、バッテリ係合片37は、バッテリ23の前側上端縁部である角部に係合すべく断面Ｌ字状に形成すると共に、左右側部にアーム片挿通孔38,38を形成し、各アーム片挿通孔38,38中に連結アーム片36,36の先端部に形成した雄ネジ部36a,36aを挿通して、各雄ネジ部36a,36aにナット39,39を螺着するようにしている。
【００２９】
このようにして、係止片34にバッテリ23の後側下端縁部を係止させると共に、連結アーム片36,36の先端部にアーム片挿通孔38,38を介して介設したバッテリ係合片37をバッテリ23の前側上端縁部に係合させて、各連結アーム片36,36の先端部に形成した雄ネジ部36a,36aにナット39,39を螺着することにより、同バッテリ23を締め付け固定することができるようにしている。
【００３０】
従って、バッテリ23の取付構造を簡易化することができると共に、同バッテリ23を簡単にかつ確実に取り付けることができる。
【００３１】
また、左右一対の固定用支柱片32,32の左右側後端部には、上下方向に伸延する左右側遮蔽片40,40を外側方へ張り出し状に形成すると共に、両固定用支柱片32,32の上端部間には、左右方向に伸延する上部遮蔽片41を形成して、これら遮蔽片41の端縁部に防振・密閉用ゴム体（図示せず）を介して閉蓋したボンネット25の内周面を当接させて、ラジエータ22の後方のエンジンＥ側の空間と、同ラジエータ22の前方のバッテリ23側の空間とを遮蔽することができるようにしている。42はシュラウドである。
【００３２】
しかも、左右側遮蔽片40,40の下部間には、支持本片31の後端縁部より上方へ立ち上げて形成した前記密閉片33を配置して、同密閉片33によりラジエータ22の下端縁部と支持本片31との間の隙間を密閉している。
【００３３】
従って、ラジエータ22の直後方位置に配置したエンジンＥからの放熱がラジエータ22と支持本片31との間隙を通してラジエータ22の前方へ回り込むのを、密閉片33により確実に防止することができて、このラジエータ22の放熱効率を良好に確保することができる。
【００３４】
また、図３、図４、図６及び図７に示すように、支持本片31の中央前部には、ボンネット25を閉蓋状態にロックするボンネットロック体43を設けており、同ボンネットロック体43は、支持本片31に形成した切り欠き部44に枢支片45を設け、同枢支片45に固定側ロック片46を固定し、同固定側ロック片46の中途部に可動側ロック片47の中途部を枢軸48を介して交差状に枢支すると共に、可動側ロック片47の下端部と枢支片45の下部との間に引張スプリング49を介設して、同可動側ロック片47を枢軸48を中心にしてロック方向に回動させるべく弾性付勢している。
【００３５】
このようにして、ボンネット25を閉蓋すると、同ボンネット25の前部に垂設した係合ピン51（図１参照）が固定側ロック片46と可動側ロック片47との間に押し下げられると共に、可動側ロック片47が引張スプリング49の弾性付勢力に抗してロック方向とは反対側に回動されて、両ロック片46,47間にロックされるようにしている。
【００３６】
そして、可動側ロック片47にはロック解除片50を連動連結しており、同ロック解除片50を上方へ回動操作することにより、可動側ロック片47を枢軸48を中心にロック方向とは反対方向に回動させて、ロック解除が行えるようにしている。
【００３７】
この際、支持体30に、ボンネット25を閉蓋状態にロックするボンネットロック体43を設けているため、支持体30を機体フレーム１に取り付けるだけで、同ボンネットロック体43を所定の位置に配置することができて、同ボンネットロック体43の配設作業を楽に行うことができると共に、同ボンネットロック体43をラジエータ22やバッテリ23とともに原動機部２内にコンパクトに配置することができる。
【００３８】
その結果、この場合も原動機部２のコンパクト化、さらには、機体のコンパクト化を図ることができる。
【００３９】
また、図２〜図７に示すように、支持本片31の左右側前部には、左右一対の受け座55,55を設けて、各受け座55,55の上面に形成した前低後高の傾斜面55a,55aに、ボンネット緩衝用の緩衝部材としての圧縮スプリング56,56の下端を取り付けて、両圧縮スプリング56,56の上端を前上方へ向けて配置している。
【００４０】
このようにして、閉蓋させたボンネット25の下端部を両圧縮スプリング56,56により受けて緩衝すると共に、ボンネットロック体43によりロックされているボンネット25のガタつきを防止することができるようにしている。
【００４１】
この際、支持体30に、ボンネット緩衝用の圧縮スプリング56,56を受ける受け座55,55を設けているため、同支持体30を機体フレーム１に取り付けるだけで、同受け座55,55を所定の位置に配置することができて、同受け座55,55の配設作業を楽に行うことができると共に、同受け座55,55をラジエータ22やバッテリ23とともに原動機部２内にコンパクトに配置することができる。
【００４２】
その結果、この点からも原動機部２のコンパクト化、さらには、機体のコンパクト化を図ることができる。
【００４３】
また、図１、図２、図８及び図９に示すように、原動機部２の後部には支持枠体60を配設し、同支持枠体にエンジンＥの直後方位置に配置した前記燃料タンク24と後述するダッシュボード61を一体的に支持させている。
【００４４】
そして、支持枠体60は、図１０及び図１１にも示すように、燃料タンク24を支持する支持枠本片63と、同支持枠本片63から燃料タンク24の前方において上方へ立ち上げて形成した隔壁形成片64と、支持枠本片63から燃料タンク24の後方において上方へ立ち上げて形成したダッシュボード支持片65と、支持枠本片63から燃料タンク24の後部を跨ぐように跨架したボンネット支持片66とを具備している。
【００４５】
支持枠本片63は、左右方向に伸延する四角形板状に形成すると共に、中央部63aを段付き凹状に形成しており、左右側部63b,63bの後部に左右一対のクラッチ部連結片67,67を下方へ向けて垂設すると共に、左右側部63b,63bの前部に左右一対の下半部ダッシュボード下部連結片68,68を下方へ向けて垂設し、各下半部ダッシュボード下部連結片68,68に左右方向に開口する連結孔94,94,94,94を形成している。
【００４６】
このようにして、支持枠本片63は、クラッチ部３の側壁に左右一対のクラッチ部連結片67,67を介して連結して、同クラッチ部３の直上方位置に配置している。
【００４７】
隔壁形成片64は、支持枠本片63の前端縁部より直前方に搭載されるエンジンＥの後壁にほぼ沿わせて前上方へ向けて立ち上げて形成しており、同隔壁形成片64の後面（背面）には、背面視門型に形成すると共に隔壁形成片64の後面に沿わせて形成した補強片69を連設して、同補強片69により隔壁形成片64を補強している。
【００４８】
ここで、補強片69の左右側下端部69a,69aは、支持枠本片63の左右側部63b,63bの上面に固定している。
【００４９】
また、図１及び図８に示すように、ボンネット25の中途部にボンネット側連結ブラケット127を取り付ける一方、、隔壁形成片64の上端中央部に支持枠体側連結ブラケット128を取り付けて、これらブラケット127,128間にボンネット25を開放状態に保持するためのボンネット開放保持スタンド129を介設している。
【００５０】
ダッシュボード支持片65は、背面視門型に形成して、支持枠本片63の左右側部63b,63bの上面に左右側下端部65a,65aを固定し、両左右側下端部65a,65aより左右側部65b,65bを後上方へ立ち上げて形成して、左右方向に伸延する上部65cを燃料タンク24の後方位置に配置しており、同上部65cの左右側部には下半部ダッシュボード上部連結片65d,65dを形成し、各下半部ダッシュボード上部連結片65d,65dに前後方向に開口する連結孔65e,65eを形成して、同ダッシュボード支持片65によりダッシュボード61を内方から支持するようにしている。
【００５１】
ボンネット支持片66は、背面視門型に形成して、支持枠本片63の左右側部63b,63bの上面に左右側下端部66a,66aを固定し、両左右側下端部66a,66aより左右側部66b,66bを上方へ立ち上げて形成して、左右方向に伸延する上部66cを燃料タンク24の直上方位置に配置しており、同上部66cの中央部には左右一対の枢支ピン支持アーム70,70を前方へ向けて突設して、両枢支ピン支持アーム70,70間に左右方向に伸延するボンネット枢支ピン71を架設し、同ボンネット枢支ピン71にボンネット枢支・連結体72を介してボンネット25を着脱自在かつ上下回動自在に枢支・連結して、同ボンネット25により原動機部２と燃料タンク24を開閉自在に被覆している。
【００５２】
しかも、上部66cの左右側部には、上半部ダッシュボード上部連結片74,74を形成し、各上半部ダッシュボード上部連結片74,74に上下方向に開口する連結孔75,75を形成しており、また、支持枠本片63の左右側部63b,63bの上面と、ボンネット支持片66の左右側下端部66a,66aとの間には、上半部ダッシュボード下部連結片76,76を介設し、各上半部ダッシュボード下部連結片76,76に左右方向に開口する連結孔77,77を形成して、ボンネット支持片66によりダッシュボード61を内方から支持するようにしている。
【００５３】
ここで、ダッシュボード61は、図８及び図９に示すように、上半部ダッシュボード形成体78と、下半部ダッシュボード形成体79とに上下に分割して形成している。
【００５４】
そして、上半部ダッシュボード形成体78は、左右側壁形成片80,80と天井部形成片81と後壁形成片82と操作パネル部形成片136とを具備し、左右側壁形成片80,80と天井部形成片81の前端縁部に沿わせて正面視門型の接合用縁部83を形成して、同接合用縁部83の左右側上部に上下方向に開口する連結孔84,84を形成すると共に、左右側下部に左右方向に開口する連結孔85,85を形成する一方、左右側壁形成片80,80と後壁形成片82の下端縁部に沿わせて嵌合用凹条縁部86を形成している。
【００５５】
このようにして、上半部ダッシュボード上部連結片74,74に形成した連結孔75,75に、接合用縁部83に形成した連結孔84,84を符合させてビス止めすると共に、上半部ダッシュボード下部連結片76,76に形成した連結孔77,77に、接合用縁部83に形成した連結孔85,85を符合させてビス止めすることにより、支持枠体60に上半部ダッシュボード形成体78を着脱自在に取り付けることができるようにしている。
【００５６】
また、下半部ダッシュボード形成体79は、左右側壁形成片87,87と後壁形成片88とを具備しており、左右側壁形成片87,87と後壁形成片88の上端縁部に沿わせて嵌合用凸条縁部89を形成し、後壁形成片88の上端縁左右側部に連結用突片90,90を形成すると共に、各連結用突片90 ,90に前後方向に開口する連結孔91,91を形成する一方、左右側壁形成片87,87の前部内側面に筒状の連結片92,92,92,92を形成すると共に、各連結片92,92,92,92に左右方向に開口する連結孔93,93,93,93を形成している。
【００５７】
このようにして、下半部ダッシュボード上部連結片65d,65dに形成した連結孔65e,65eに、連結用突片90,90に形成した連結孔91,91を符合させてビス止めすると共に、各下半部ダッシュボード下部連結片68,68に形成した連結孔94,94,94,94に、連結片92,92,92,92に形成した連結孔93,93,93,93を符合させてビス止めすることにより、支持枠体60に下半部ダッシュボード形成体79を着脱自在に取り付けることができるようにしている。
【００５８】
この際、下半部ダッシュボード形成体79の上端縁部に形成した嵌合用凸条縁部89には、上半部ダッシュボード形成体78の下端縁部に形成した嵌合用凹条縁部86が上方から嵌合して接合するようにしている。
【００５９】
このように、原動機部２の後部に配設した支持枠体60に、燃料タンク24とダッシュボード61を一体的に支持させているため、部品点数を削減することができると共に、燃料タンク24とダッシュボード61の取付作業の手間を削減することができる。
【００６０】
しかも、燃料タンク24とダッシュボード61を支持枠体60に一体的に支持させているため、同燃料タンク24とダッシュボード61をコンパクトに配置することができて、機体のコンパクト化を図ることができる。
【００６１】
さらには、支持枠本片63により燃料タンク24を確実に支持することができると共に、隔壁形成片64により原動機部２に配設したエンジンＥの熱風を燃料タンク24から確実に遮断することができ、かつ、ダッシュボード支持片65によりダッシュボード61を確実に支持することができる。
【００６２】
この際、ダッシュボード支持片65は、ダッシュボード61を内方から支持しているため、同ダッシュボード61を外部に露出させることなく構造を簡素化することができると共に、機体の美的外観を高めることができる。
【００６３】
また、支持枠体60に設けたボンネット支持片66には、ボンネット25の基端部を着脱自在に枢支・連結して、同ボンネット25と燃料タンク24とダッシュボード61をコンパクトに配置すると共に支持することができて、機体のコンパクト化を図ることができるようにしている。
【００６４】
そして、ボンネット25は、図１２〜図１５に示すように、短幅仕様に適応させて形成すると共に、後端縁部に増設延長体95を着脱自在に取り付けて、長幅仕様に適応するボンネットに変更自在としている。
【００６５】
すなわち、ボンネット25は、左右側壁形成片96,96と天井部形成片97とフロントグリル形成片98とを具備しており、左右側壁形成片96,96と天井部形成片97の後端縁部には、係合片99を内方へ略直角に折り曲げ状に形成し、同係合片99の前面に沿わせて支持兼補強体100を取り付けている。
【００６６】
そして、天井部形成片97は、図１２に示すように、前部の左右幅Waよりも後部の左右幅Wbを細幅に形成して、後述する運転部５に着座したオペレータによる前車輪7,7の接地面への視認性を良好に確保している。
【００６７】
また、支持兼補強体100は、図８、図１３〜図１６に示すように、背面視門型に形成した前後壁形成片101,102と、両前後壁形成片101,102の下端縁部に沿わせて背面視門型に形成して、両前後壁形成片101,102間に介設した底部形成片103とから断面Ｕ字状に形成しており、前後壁形成片101,102と前記係合片99の伸延方向と直交する幅を略同一幅に形成して、前後壁形成片101,102の端面をボンネット25の左右側壁形成片96,96と天井部形成片97の内面に当接させると共に、後壁形成片102の後面を係合片99の前面に当接させて取り付けている。
【００６８】
しかも、支持兼補強体100の底部形成片103には、その伸延方向に間隔を開けて複数（本実施例では六個）の取付座としてのナット104を取り付けると共に、各ナット104と符合する底部形成片103に連通孔105を形成している。
【００６９】
また、支持兼補強体100の前壁形成体101の左右側部間には、左右方向に伸延する左右伸延支持片106を架設し、同左右伸延支持片106の中央部に前記ボンネット枢支・連結体72を取り付けている。
【００７０】
そして、ボンネット枢支・連結体72は、左右方向に伸延させて形成した取付片107と、同取付片107の左右側端部より後方へ伸延させて形成したアーム片108,108と、両アーム片108,108の後部に形成した折れ曲がり部間に横架した補強片109と、各アーム片108,108の後端部に形成した連結片110,110とを具備しており、各連結片110,110には切欠溝111,111と、各切欠溝111,111と連通する枢支・連結孔112,112とを形成している。
【００７１】
このようにして、支持兼補強体100に架設した左右伸延支持片106に、取付片107を前後重合状態に当接させると共に、取付ボルト113,113により取り付けている。
【００７２】
このように、支持兼補強体100は、ボンネット枢支・連結体72と後述する増設延長体95を支持すると共に、ボンネット25の後端縁部を補強している。
【００７３】
また、増設延長体95は、図１２〜図１６に示すように、ボンネット25の後端縁部に沿わせて背面視門型に形成して前後方向に一定の増設延長幅Ｗを有する増設延長本片115と、同増設延長本片115の前端縁部より前方へ突出させると共に段付き凹状に形成した取付片116と、増設延長本片115の後端縁部より内方へ突出させて形成した折れ曲がり片117とを具備しており、取付片116は、係合片99に後方から当接する内方突出片118と、同内方突出片118の内側端縁から前方へ伸延して支持兼補強体100の底部形成片103に内方から当接する前方突出片119とから形成し、前方突出片119に、前記連通孔105と符合するボルト挿通孔120を形成している。
【００７４】
このようにして、符合するボルト挿通孔120と連通孔105中に取付ボルト121を挿通すると共に、ナット104に取付ボルト121の先端部を螺着することにより、ボンネット25に増設延長体95を取り付けることができる。
【００７５】
このように、短幅仕様に適応させて形成したボンネット25と、同ボンネット25の後端縁部に増設延長体95を取り付けることにより長幅仕様に適応させたボンネット25とに変更自在としているため、短幅仕様と長幅仕様のいずれの場合でもボンネット25自体は共用することができて、ボンネット成形型の種類を削減することができ、その結果、ボンネット25の製造コストを大幅に削減することができる。
【００７６】
この際、ボンネット25の後端縁部内周面に設けたナット104に、増設延長体95の前端縁部に形成した取付片116の先端部である前方突出片119を、内外側重合状態に当接させて取付ボルト121により取り付けるようにしているため、ボンネット25に増設延長体95を簡単かつ確実に取り付けて、短幅仕様から長幅仕様への形態変更を容易に行うことができる。
【００７７】
次に、図１５〜図１７を参照しながら、ボンネット25に設けたボンネット枢支・連結体72のボンネット枢支ピン71への取付構造について説明する。
【００７８】
すなわち、ボンネット枢支ピン71は、図１５〜図１７に示すように、左右側部に括れ状の縮径部122,123を、ボンネット枢支・連結体72の連結片110,110の間隔と略同一間隔を開けて形成し、右側端部に抜け止め片124を形成している。
【００７９】
そして、前記したボンネット支持片66の上部66cの中央部により前方へ突設した左右一対の枢支ピン支持アーム70,70に、ピン挿通孔125,125を形成している。
【００８０】
このようにして、図１７(ａ)に示すように、ピン挿通孔125,125中にボンネット枢支ピン71を右側方から左側方へ向けて挿通し、同ボンネット枢支ピン71に形成した左右側の縮径部122,123を枢支ピン支持アーム70,70の内方に位置させる。
【００８１】
そして、両縮径部122,123の直前方位置に、ボンネット枢支・連結体72の連結片110,110に形成した切欠溝111,111を対向状態に配置する。
【００８２】
かかる状態にて、ボンネット枢支・連結体72を後方へ移動させることにより、図１７(ｂ)に示すように、ボンネット枢支ピン71の縮径部122,123に切欠溝111,111を通して枢支・連結孔112,112を配置する。
【００８３】
続いて、図１７(ｃ)に示すように、ボンネット枢支ピン71を左側方へ摺動させて、右側の枢支ピン支持アーム70に抜け止め片124を当接させると共に、ボンネット枢支・連結体72の枢支・連結孔112,112中にボンネット枢支ピン71を配置する。
【００８４】
この際、切欠溝111は、縮径部122,133の外径よりもやや幅広に形成すると共に、ボンネット枢支ピン71の外径よりも幅狭に形成する一方、枢支・連結孔112は、ボンネット枢支ピン71の外径よりも大径に形成している。
【００８５】
従って、ボンネット枢支・連結体72は、枢支・連結孔112,112を介してボンネット枢支ピン71に枢支・連結されて、前方へ抜けることはない。
【００８６】
さらに、かかる状態にて、図１５及び図１７(ｃ)に示すように、ボンネット枢支ピン71の左側端部に抜け止めピン126を装着して、同ボンネット枢支ピン71が右側方へ抜けるのを防止する。
【００８７】
このようにして、ボンネット枢支ピン71にボンネット枢支・連結体72を介してボンネット25を上下回動自在に枢支・連結することができる。
【００８８】
また、上記したボンネット25の枢支・連結手順とは反対の手順をたどることにより、同ボンネット25を容易に取り外すことができる。
【００８９】
なお、本実施の形態では、増設延長体95を取り付けた長幅仕様のボンネット25を枢支・連結するボンネット枢支・連結体72について説明してきたが、増設延長体95を取り外した短幅仕様のボンネット25を使用する場合には、アーム片108の長さを増設延長体95の増設延長幅Ｗだけ短く形成したボンネット枢支・連結体72に付け替えるようにしている。
【００９０】
また、図１８は、ボンネット枢支・連結体72の変容例を示しており、同ボンネット枢支・連結体72は、アーム片108の中途部にターンバックル等の伸縮調整部150を設けている。
【００９１】
すなわち、伸縮調整部150は、基端側雄ネジ部形成片151と、先端側雄ネジ部形成片152と、各雄ネジ部形成片151,152の周面に螺着して嵌合したロックナット153,154と、両雄ネジ部形成片151,152の周面間に跨るように螺着して嵌合した筒状の伸縮調整用雌ネジ部形成片155とを具備しており、基端側雄ネジ部形成片151と先端側雄ネジ部形成片152の雄ネジ山は相互に反対方向に形成すと共に、伸縮調整用雌ネジ部形成片155の基端側半部と先端側半部の雌ネジ山は相互に反対方向に形成している。
【００９２】
このようにして、伸縮調整用雌ネジ部形成片155を正回転させることにより、基端部側雄ネジ部形成片151と先端側雄ネジ部形成片152を相互に離隔させて、アーム片108を伸長調整することができる一方、伸縮調整用雌ネジ部形成片155を逆回転させることにより、基端部側雄ネジ部形成片151と先端側雄ネジ部形成片152を相互に近接させて、アーム片108を短縮調整することができるようにしている。
【００９３】
そして、伸縮調整用雌ネジ部形成片155を正・逆回転させる際には、適宜ロックナット153,154を回転移動させて、最終的に伸縮調整用雌ネジ部形成片155を回転ロックさせるようにしている。
【００９４】
その結果、ボンネット枢支・連結体72のアーム片108の長さを、増設延長体95の増設延長幅Ｗに適応させることができて、ボンネット25を良好に枢支・連結することができる。
【００９５】
また、ボンネット枢支・連結体72は、伸縮調整部150の伸縮調整幅を大きく設定しておくことにより、同伸縮調整部150を伸縮調整して、増設延長体95を取り外した短幅仕様のボンネット25と、増設延長体95を取り付けた長幅仕様のボンネット25のどちらにも適応させることができる。
【００９６】
運転部５は、図１、図８及び図１２に示すように、前記ダッシュボード61の操作パネル部形成片136の後側中央部にホイール支軸挿通孔130を形成し、同ホイール支軸挿通孔130よりステアリングホイール支軸131の上端部を突出させ、同ステアリングホイール支軸131の上端部にステアリングホイール132を取り付け、同ステアリングホイール132の後方位置に運転席133を配置し、同運転席133の左右側方に各種操作レバーを配置している。
【００９７】
そして、ステアリングホイール132と運転席133の間に位置するミッション部４の左右側方位置にはステップ部134,134を左右外側方へ張り出し状に形成し、各ステップ部134,134の後端部より後車輪10,10の前側上部外周面に沿わせて後車輪フェンダ135,135を形成している。
【００９８】
また、操作パネル部形成片136には、図１２に示すように、ステアリングホイール支軸131の軸線と前後方向に直交する仮想左右中心線Ｃの一側方（本実施例では右側方）に、計器パネルとしての燃料計140と作業系操作手段141を集中配置する一方、仮想左右中心線Ｃの他側方（本実施例では左側方）に、操向系操作手段142を集中配置している。
【００９９】
ここで、作業系操作手段141としては、増減速操作を行うためのアクセルレバー143と、ＰＴＯ軸（図示せず）の駆動入切操作を行うためのＰＴＯスイッチ144を仮想左右中心線Ｃの右側方に集中配置している。
【０１００】
また、操向系操作手段142としては、方向指示器（図示せず）を操作するための方向指示器操作スイッチ145と、ヘッドライト146（図１参照）を点灯・消灯操作するためのヘッドライト操作スイッチ147と、警報器（図示せず）を操作するための警報器操作スイッチ148を仮想左右中心線Ｃの左側方に集中配置している。
【０１０１】
このようにして、ステアリングホイール支軸131の軸線と前後方向に直交する仮想左右中心線Ｃの右側方に、燃料計140と作業系操作手段141を集中配置しているため、運転部５に着座して操向操作を行うオペレータは、左手でステアリングホイール支軸131に取り付けたステアリングホイール132を把持した状態にて、右手で作業系操作手段141を操作することができる。
【０１０２】
この際、燃料計140と作業系操作手段141を集中配置しているため、作業系操作手段141を適宜効率良く操作することができて、操作性を向上させることができると共に、かかる作業系操作手段141を操作している際に、燃料計140も視野に入れて楽に視認することができる。
【０１０３】
特に、比較的操作頻度の高い作業系操作手段141としてのアクセルレバー143とＰＴＯスイッチ144をオペレータの利き手である右手側に集中配置しておくことにより、操作性をより一層向上させることができる。なお、運転席133の後方の右手側には、作業機昇降レバー（図示せず）も配置している。
【０１０４】
また、仮想左右中心線Ｃの左側方に、操向系操作手段142を集中配置しているため、運転部５に着座して操向操作を行うオペレータは、右手でステアリングホイール支軸131に取り付けたステアリングホイール132を把持した状態にて、左手で操向系操作手段142を操作することができる。
【０１０５】
この際、比較的操作頻度の低い操向系操作手段142として方向指示器操作スイッチ145とヘッドライト操作スイッチ147と警報器操作スイッチ148を集中配置しているため、これらのスイッチ145,147,148を効率良く適宜操作することができて、操作性を向上させることができる。
【図面の簡単な説明】
【０１０６】
【図１】本発明に係るトラクタの側面説明図。
【図２】原動機部の側面図。
【図３】支持体の前方からの斜視図。
【図４】支持体の正面図。
【図５】支持体の後方からの斜視図。
【図６】バッテリの取付説明斜視図。
【図７】バッテリの取付説明側面図。
【図８】支持枠体の側面説明図。
【図９】支持枠体へのダッシュボードの取付説明図。
【図１０】支持枠体の平面図。
【図１１】支持枠体の斜視図。
【図１２】ボンネットとダッシュボードの背面斜視図。
【図１３】ボンネットと増設延長体の取付構造を示す側面説明図。
【図１４】ボンネットと増設延長体の取付構造を示す分解斜視説明図。
【図１５】ボンネットの枢支・連結構造を示す断面側面説明図。
【図１６】ボンネットの枢支・連結構造を示す断面平面説明図。
【図１７】ボンネットの枢支・連結手順を示す説明図。
【図１８】ボンネット枢支・連結体の変容例を示す側面説明図。
【符号の説明】
【０１０７】
Ａ  トラクタ
１  機体フレーム
２  原動機部
３  クラッチ部
４  ミッション部
５  運転部
【図１】
2005029126.tif 000003
【図２】
2005029126.tif 000004
【図３】
2005029126.tif 000005
【図４】
2005029126.tif 000006
【図５】
2005029126.tif 000007
【図６】
2005029126.tif 000008
【図７】
2005029126.tif 000009
【図８】
2005029126.tif 000010
【図９】
2005029126.tif 000011
【図１０】
2005029126.tif 000012
【図１１】
2005029126.tif 000013
【図１２】
2005029126.tif 000014
【図１３】
2005029126.tif 000015
【図１４】
2005029126.tif 000016
【図１５】
2005029126.tif 000017
【図１６】
2005029126.tif 000018
【図１７】
2005029126.tif 000019
【図１８】
2005029126.tif 000020